(57)【要約】【課題】メインドアを開閉することなくコインの補給を行うことが可能な遊技機を提供する。【解決手段】遊技の結果に応じて、遊技媒体を払い出す遊技機１０において、開口部を有した筺体１２と、この開口部を開閉可能なように当該筺体１２に装着されたメインドア５０と、を備え、筺体１２は、その内部に遊技媒体を貯留するホッパー５８を有し、メインドア５０は、遊技媒体が通過可能な補給口２０４と、補給口２０４を開閉可能なようにメインドア５０に装着された補給扉２００と、を有するように構成する。【選択図】　　　図３
2004129746.tif 000002
【特許請求の範囲】
【請求項１】
遊技の結果に応じて、遊技媒体を払い出す遊技機において、開口部を有した筺体と、当該開口部を開閉可能なように前記筺体に装着された開口部開閉体と、を備え、
前記筺体は、その内部に遊技媒体を貯留する遊技媒体貯留装置を有し、
前記開口部開閉体は、遊技媒体が通過可能な孔部と、当該孔部を開閉可能なように前記開口部開閉体に装着された孔部開閉体と、を有したことを特徴とする遊技機。
【請求項２】
前記孔部は前記遊技媒体貯留装置より上方に位置することを特徴とする請求項１に記載の遊技機。
【請求項３】
前記遊技媒体貯留装置と前記孔部との間に、遊技媒体が通行可能な遊技媒体通路が設けられたことを特徴とする請求項１又は請求項２に記載の遊技機。
【発明の詳細な説明】
【０００１】
【発明の属する技術分野】
本発明は、遊技機に関するものである。
【０００２】
【従来の技術】
一般に、スロットマシンと呼ばれる遊技機は、ボックス状の筺体と、筐体の前面を開閉可能にするメインドアとを備えている。この筐体の内部には、３個のリール、コイン貯留装置、制御装置などが収納され、また、メインドアには、ゲームを実施するための構成として、コイン投入口、スタートレバー、停止スイッチなどが配備されている。
【０００３】
遊技を行う遊技者は、まず、遊技場にて、遊技の媒体となるコインを借り受け、このコインを遊技機のメインドアに設けられたコイン投入口に投入することにより遊技を開始することができる。遊技者により投入されたコインは、メインドアの後方の筐体内部に設けられたコイン貯留装置に貯留される。
【０００４】
遊技の結果、役が成立し、入賞となった場合には、遊技者にはコインの払い出しが行われる。この払い出しが行われるコインは、筐体内部に設けられたコイン貯留装置に貯留されているものであるが、遊技が繰り返し行われ、コインの払い出しが続いたりすると、この貯留装置内に貯留されたコインが不足する事態が発生し得る。
【０００５】
このような事態が発生した場合には、通常、遊技機の上部に設けられた報知ランプ等により、コインの貯留数が不足となった遊技機に気付いた遊技場の従業員が、この遊技機にコインの補給を行うべく、遊技機の前面に設けられているメインドアを開放し、筐体の開口部から遊技機の筐体内部に設けられたコイン貯留装置に直接コインの補給を行う。
【０００６】
また、コインの補給が行われる別の形態として、自動補給装置が用いられることもある。この自動補給装置は、各遊技機間がコインを移送するための移送ベルト等で結ばれ、コインの補給作業が自動で行われるというものである（例えば、特許文献１参照。）。
【０００７】
【特許文献１】
特開平０９−０００６８５号公報（第２−９頁、第４図）
【０００８】
【発明が解決しようとする課題】
しかしながら、上述したような自動補給装置は、遊技場に設置する費用が高く、遊技場としては気軽に導入することが難しいという問題がある。このため、依然として多くの遊技場で、従業員の手作業によりコインの補給作業が行われている。
【０００９】
ところが、上述したように、手作業によりコインの補給作業を行う場合には、メインドアを開閉しなければならないことになり、これにより、以下のような不都合が生じている。
【００１０】
即ち、メインドアは遊技者側である前面に開放されるので、遊技者は席を立って、遊技を中断しなければならない。このため、遊技者には迷惑がかかり、この遊技者自体が他の遊技者の邪魔となってしまうこともあった。更に、遊技場の管理者にとっては、遊技の中断により、遊技機の稼働率が低下するという問題点が有った。
【００１１】
また、遊技機の筐体内部には、遊技を制御するための基板や、配線等が設けられていることから、コインの補給時に、筐体内部を露出させることにより、不正が行われる可能性があった。
【００１２】
更に、メインドアの裏側にも、種々の基板等が設けられており、メインドアを開放し、閉鎖する際に、これらの基板と、筐体内部の基板とを接続する配線を挟み込んでしまい、最悪の場合には、配線を断線させてしまい、遊技機を故障させてしまうおそれもあり得る。
【００１３】
本発明は以上の問題点に鑑みてなされたものであり、その目的は、メインドアを開閉することなくコインの補給を行うことが可能な遊技機を提供することにある。
【００１４】
【課題を解決するための手段】
以上のような目的を達成するために、本発明は以下のものを提供する。
【００１５】
（１）　遊技の結果に応じて、遊技媒体を払い出す遊技機において、開口部を有した筺体と、当該開口部を開閉可能なように前記筺体に装着された開口部開閉体と、を備え、前記筺体は、その内部に遊技媒体を貯留する遊技媒体貯留装置を有し、前記開口部開閉体は、遊技媒体が通過可能な孔部と、当該孔部を開閉可能なように前記開口部開閉体に装着された孔部開閉体と、を有したことを特徴とする遊技機。
【００１６】
上述した（１）の発明によると、遊技場の従業員が遊技機にコインを補給する際に、遊技機のメインドアを開閉する必要がなく、メインドアに設けられたコイン補給用の小型扉を開閉することにより、遊技機にコインを補給することが可能となる。
【００１７】
また、コインの補給作業を行う従業員にとっては、重量のあるメインドアを開けるという作業負担が軽くなり、補給作業を効率的に行うことが期待できる。
【００１８】
更に、遊技者にとっては、従来、コインの補給作業はメインドアを開閉して行っていたことから補給作業中は席を立たなければならなかったが、コイン補給の際であっても、席を立つ必要がなくなり、補給作業後すぐに遊技を続行することが期待できる。
【００１９】
更にまた、筐体内部には、リール、電飾、制御装置、それに伴う配線等が設けられているが、コインの補給時に、メインドアを開閉することによって、これらが完全に露出してしまうことがないため、基板や配線等に手が加えられてしまうという不正が行われることを防止し、遊技機のセキュリティの向上を図ることができる。
【００２０】
更にまた、メインドアを開閉することによってメインドアの裏側に設けられた配線を挟み込んでしまうというおそれを防止でき、配線の断線等による遊技機の故障が起きるおそれも防止することができる。
【００２１】
（２）　前記孔部は前記遊技媒体貯留装置より上方に位置することを特徴とする（１）に記載の遊技機。
【００２２】
上述した（２）の発明によると、（１）の効果に加えて、従業員によりコインが投入される補給口の位置はコイン貯留装置よりも上方に位置づけられるように設けられることとなるため、補給口から投入されたコインを、移送ベルト等の動力を必要とする特別な装置等を用いることなく、自然な落下によりコイン貯留装置に補給することができる。
【００２３】
（３）　前記遊技媒体貯留装置と前記孔部との間に、遊技媒体が通行可能な遊技媒体通路が設けられたことを特徴とする（１）又は（２）に記載の遊技機。
【００２４】
上述した（３）の発明によると、（１）又は（２）の効果に加えて、コインは補給口からコイン貯留装置をつなぐコイン通路を伝わり、コイン貯留装置に補給されるため、補給口からコイン貯留装置に直接コインを落下させることによりコインを補給する場合に比べて、コインの損傷を比較的抑えることが期待できるとともに、コインを貯留装置の外へ漏らすことなく確実に、コイン貯留装置に補給することができる。
【００２５】
［用語の定義等］
本発明に係る「遊技媒体」とは、遊技機における遊技の開始、進行や結果を定め得るものを示す概念であり、パチンコ等の弾球遊技機におけるパチンコ球や、スロットマシンやパチスロ等の回胴式の遊技機におけるコインやメダルやトークン等を含む概念である。
【００２６】
「開口部」とは、前面が開口している略ボックス状の筺体を含む概念であり、内部に基板等を収納するための空間を有しているものである。
【００２７】
「開口部開閉体」とは、開口部を覆うように、かつ、開閉可能に装着可能であり、開口部の機密性を保てるものを含む概念である。例えば、扉のような固着されたものであっても、蓋のような着脱式のものであってもよい。もちろん、扉のように軸着されたものであっても、軸着されないものであってもよい。また、本体のある一面全体を覆うものだけでなくとも、本体のある一面の一部を覆うものや、本体の複数面を覆うものであってもよい。もちろん、面部でなくとも問題ない。
【００２８】
「孔部」とは、前後方向に開放した穴若しくは孔を示すものであり、その形状は問わない。本発明においては、補給を行うためにコインが投入される補給口を指すものである。
【００２９】
「孔部開閉体」とは、孔部を覆うように、かつ、開閉可能に装着可能であり、開口部の機密性を保てるものを含む概念である。例えば、扉のような固着されたものであっても、蓋のような着脱式のものであってもよい。もちろん、扉のように軸着されたものであっても、軸着されないものであってもよい。
【００３０】
「上方」とは、補給口がコイン貯留装置よりも上位に設けられることを示す概念であり、必ずしも直上である必要はなく、斜め上であっても問題はなく、自然落下により補給口からコイン貯留装置へ遊技媒体を投入可能な位置であればよい。
【００３１】
【発明の実施の形態】
以下に、本発明の好適な実施形態について図面に基づいて説明する。
【００３２】
尚、以下において説明する実施形態においては、本発明に係る遊技機に好適な実施形態として、本発明をスロットマシンに適用した場合について説明する。
【００３３】
また、この遊技機１０で用いられる遊技媒体は、コインが適用されるものとして説明する。
【００３４】
更に、以下において説明する実施形態における遊技機１０では、スロットマシンに適用した場合について説明するが、本発明はこれに限らず、パチンコ等の弾球遊技機、メダル遊技機その他の遊技機にも適用することが可能である。
【００３５】
［遊技機の構成］
本発明の一実施形態である遊技機１０の概観を示す斜視図を図１に示す。
【００３６】
遊技機１０は、図１に示す如く、本体筐体１２（以下、単に筐体１２という。）と、メインドア５０と、を備えている。
【００３７】
尚、この「筐体１２」は、請求項中の「筐体」に相当する。また、「メインドア５０」は、請求項中の「開口部開閉体」に相当する。
【００３８】
この筐体１２は、遊技者を臨む位置が開放されている凹部を有しており、遊技場の所定の場所に固設される。筐体１２の凹部には、後述する如く、遊技者を臨む位置に回動可能に配置された３個のリール２６Ｌ、２６Ｃ、２６Ｒや、後述する遊技機１０を電気的に制御するための主制御回路１００や、コインの貯留、払出を制御するためのホッパー５８等が設けられている。
【００３９】
尚、この凹部は、請求項中の「開口部」に相当する。また、ホッパー５８は、請求項中の「遊技媒体貯留装置」に相当する。
【００４０】
また、メインドア５０は、筐体１２の凹部を外側に露呈しないように覆うこととなる。また、メインドア５０は、図２に示す如く、筐体１２の凹部を開閉可能なように、正面から見て左側で筐体１２と軸着されており、その軸着された部分を中心として回動自在となっている。
【００４１】
メインドア５０は、正面から見て右側で、メインドアロック機構２１８により筐体１２に対して施錠及び解錠が行われるものである。詳しくは、図２を用いて後述する。
【００４２】
メインドア５０の略中央には、略垂直に形成された縦長矩形の３つの表示窓１４Ｌ、１４Ｃ、１４Ｒが設けられている。これらの表示窓１４Ｌ、１４Ｃ、１４Ｒには、５本の入賞ライン、即ち、水平に３本（中央Ｌ１、上下Ｌ２Ａ、Ｌ２Ｂ）、及び斜めに２本（斜め右下がりＬ３Ａ、斜め右上がりＬ３Ｂ）の入賞ラインが設けられている。これらの入賞ラインＬ１、Ｌ２Ａ、Ｌ２Ｂ、Ｌ３Ａ及びＬ３Ｂの左端部と右端部とには、投入されたコインの枚数により有効となった入賞ライン（以下、有効ラインと称する）と、コインの賭け枚数と、を表示するための賭け枚数表示部１８が、上から順に「３」、「２」、「１」、「２」、「３」の如く設けられている。
【００４３】
筐体１２の内部には、各々の外周面に複数種類の図柄が描かれた３個のリール２６Ｌ、２６Ｃ、２６Ｒが回転自在に設けられている。これらのリール２６Ｌ、２６Ｃ、２６Ｒの各々は、上述した表示窓１４Ｌ、１４Ｃ、１４Ｒを介して視認可能に設けられている。後述する如く、リール２６Ｌ、２６Ｃ、２６Ｒは、表示窓１４Ｌ、１４Ｃ、１４Ｒにおいて、リール２６Ｌ、２６Ｃ、２６Ｒの外周面に描かれた図柄が上から下に向かって移動するように回転駆動される。
【００４４】
後述する１−ＢＥＴスイッチ２０を遊技者が操作したときには、５本の入賞ラインのうちの１本、例えば入賞ラインＬ１を有効化し、２−ＢＥＴスイッチ２２を操作したときには、５本の入賞ラインのうちの３本、例えば入賞ラインＬ１、Ｌ２Ａ及びＬ２Ｂを有効化し、最大ＢＥＴスイッチ２４を操作したときには、５本の入賞ラインの全て、即ちＬ１、Ｌ２Ａ、Ｌ２Ｂ、Ｌ３Ａ及びＬ３Ｂを有効化する。有効化された入賞ラインは、賭け枚数表示部１８の背面に設けられている有効ライン表示ランプ４４（図５参照）を点灯することにより明示される。
【００４５】
また、上述した表示窓１４Ｌ、１４Ｃ、１４Ｒの下方には、略水平の台座部２８が設けられており、その中央には液晶ディスプレイパネルからなる表示装置３０が設けられている。この表示装置３０においては、遊技履歴が表示されたり、ボーナスゲームにおける画像演出等が行われる。
【００４６】
表示装置３０の右側には、遊技機１０にコインを投入するためのコイン投入口３１が設けられている。
【００４７】
また、コイン投入口３１の上方には、後述する如く、ホッパー５８にコインを補給するための補給口２０４が穿設されている。補給扉２００は、メインドア５０に穿設された補給口２０４を開閉可能なように、正面から見て左側でメインドア５０と軸着されており、その軸着された部分を中心として回動自在となっている。詳しくは、図３を用いて後述する。
【００４８】
尚、この補給口２０４は、請求項中の「孔部」に相当する。補給扉２００は、請求項中の「孔部開閉体」に相当する。
【００４９】
上述した如く、表示装置３０の左側には、１回の押動操作により、既に投入されているコインのうちの１枚だけを遊技の賭けの対象とするための１−ＢＥＴスイッチ２０と、既に投入されているコインのうちの２枚だけを遊技の賭けの対象とするための２−ＢＥＴスイッチ２２と、既に投入されているコインのうち１回の遊技に可能な最大枚数のコインを遊技の賭けの対象とするための最大ＢＥＴスイッチ２４とが設けられている。これらのＢＥＴスイッチ２０、２２又は２４を押動操作することで、押動操作されたＢＥＴスイッチに応じて上述した入賞ラインが有効化されることとなる。
【００５０】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている図柄が、表示窓１４Ｌ、１４Ｃ、１４Ｒの各々において変動表示されることとなる。
【００５１】
上述した３つのリール２６Ｌ、２６Ｃ、２６Ｒの回転速度が一定の速度に達したときには後述する停止スイッチ３４Ｌ、３４Ｃ、３４Ｒの遊技者による操作が有効となる。
【００５２】
台座部２８の前面の中央には、３個の停止スイッチ３４Ｌ、３４Ｃ、３４Ｒが設けられている。停止スイッチ３４Ｌはリール２６Ｌに対応し、停止スイッチ３４Ｃはリール２６Ｃに対応し、停止スイッチ３４Ｒはリール２６Ｒに対応している。停止スイッチ３４Ｌを遊技者が押動操作したときには、リール２６Ｌが停止し、停止スイッチ３４Ｃを遊技者が押動操作したときには、リール２６Ｃが停止し、停止スイッチ３４Ｒを遊技者が押動操作したときには、リール２６Ｒが停止するようになされている。
【００５３】
リール２６Ｌ、リール２６Ｃ、リール２６Ｒが停止するときには、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御される。
【００５４】
スタートレバー３２の左側には、払出スイッチ３６が設けられている。遊技者が払出スイッチ３６を押動操作したときには、クレジットされているコインが正面下部のコイン払出口３８から払い出され、払い出されたコインはコイン受皿４０に溜められる。
【００５５】
また、このコイン受皿４０の上側には、筐体１２の内部に収納されたスピーカ４１から発せられた音を筐体１２の外部へ出すための透音口４２が設けられている。
【００５６】
［遊技機　メインドア開放時］
遊技機１０のメインドア５０を左側に開放した状態を図２に示す。
【００５７】
上述したコイン投入口３１の背後には、コインセンサ５２が設けられており、コイン投入口３１から投入されたコインは、コインセンサ５２により検出され、計数された後、シュート５６を通過し、ホッパー５８の中に収納される。
【００５８】
また、コインセンサ５２の上方には、上述した如く、補給口２０４が穿設されており、この補給口２０４には、この補給口２０４から投入されたコインを後述するホッパー５８に導入するためのコイン補給路２０６が設けられている。詳しくは図３に基づいて後述する。
【００５９】
尚、このコイン補給路２０６は、請求項中の「遊技媒体通路」に相当する。
【００６０】
更に、ホッパー５８の下部にはコイン排出口６０が設けられており、ホッパー５８内に貯留されていたコインは、コイン排出口６０を経由して排出され、コイン払出口３８よりコイン受皿４０に払出されるのである。
【００６１】
メインドア５０の右側部には、メインドアロック機構２１８を構成するロック片２１６が上下２箇所に設けられている。このロック片２１６は、上下方向に動作するものである。
【００６２】
また、筐体１２の右側内壁には、メインドアロック機構２１８を構成する被ロック部２１４が設けられている。
【００６３】
ロック片２１６が、被ロック部２１４に係入することにより、メインドア５０が筐体１２の凹部を覆う状態で、即ち、メインドア５０が閉じた状態で固定されることとなる。
【００６４】
尚、本実施形態における遊技機１０では、筐体１２に被ロック部２１４を、メインドア５０にロック片２１６を、設け、ロック片２１６が被ロック部２１４に係入することによりメインドア５０が閉じた状態で固定されたロック機構であったが、本発明はこれに限らず、単にメインドア５０が閉じた状態で固定されるものであればよく、例えば、筐体１２にロック片２１６を設け、メインドア５０に被ロック部２１４を設けてもよく、更には、ロック部と、ロック孔と、を備えたロック機構であってもよい。また、本実施形態における遊技機１０では、ロック片２１６が被ロック部２１４に係入することによりメインドア５０が閉じた状態で固定されたが、本発明はこれに限らず、係止されるものであれば問題ない。
【００６５】
尚、本実施形態においては、固定式のメインドア５０を用いた遊技機１０であったが、本発明はこれに限らず、本体部に対して着脱自在な扉を備えた遊技機であってもよい。
【００６６】
［補給扉の構成］
図３は、本発明の一実施形態である補給扉２００の概略を示す図である。
【００６７】
上述した如く、メインドア５０における表示装置３０の右側には、コインを投入するためのコイン投入口３１が設けられており（図１参照）、このコイン投入口３１の上方には、補給口２０４が穿設されている。
【００６８】
図３に示す如く、この補給口２０４は、メインドア５０に穿設された角穴であり、補給作業を行う遊技場の従業員等が、後述する遊技機１０の筐体１２内部に設けられたホッパー５８にコインを補給する際に用いる穴である。この補給口２０４としてメインドア５０に穿設された角穴は、約８０ｍｍ×５０ｍｍ程度の大きさを有するものである。
【００６９】
尚、本実施形態における遊技機１０では、補給口２０４は、上述した如く、メインドア５０の遊技者を臨む位置である前面であって、コイン投入口３１の上方に設けられるものであったが、本発明はこれに限らず、メインドア５０の前面であって、コイン投入口３１の上方以外の場所に設けられるものであってもよく、また、前面に限らず、メインドア５０の左右側面又は上面に設けられることとしてもよく、更に、メインドア５０に限らず、筐体１２の左右側面、背面、上面の何れの位置に設けられるものであってもよい。
【００７０】
また、補給口２０４は、約８０ｍｍ×５０ｍｍ程度の大きさを有する角穴であることとしたが、本発明はこれに限らず、補給口の大きさ及び穴の形状は上述したものでなくとも、ある程度の数量のコインがまとめて通過可能であれば、如何なるものであってもよい。
【００７１】
図３に示す如く、補給扉２００は、メインドア５０に補給口２０４として穿設された角穴の穴形状とほぼ同一の形状及び大きさを有する一枚の板状体である。この補給扉２００は、補給口２０４を外部に露呈させないように覆い、かつ、補給口２０４を開閉可能なように、正面から見て左端部をヒンジ機構（図示せず）によりメインドア５０と軸着されており、その軸着された部分を中心として回動自在となっている。
【００７２】
尚、本実施形態では、補給扉２００は、一枚の板状体であり、正面から見て左端部をヒンジ機構（図示せず）によりメインドア５０と軸着され、その軸着された部分を中心として回動自在となっているように構成することとしたが、本発明はこれに限らず、種々の態様で構成することが可能なものである。
【００７３】
例えば、本実施形態では、補給扉２００は、メインドア５０と軸着され、左方向に片開きするように構成することとしたが、本発明はこれに限らず、メインドア５０に軸着される部分は、上下左右の何れかの一端部が軸着されるものであってもよい。
【００７４】
また、補給扉２００は、一枚の板状体でなくとも、二枚の板状体として構成し、例えば、この二枚の板状体を左右に並べる場合には、左板状体の左端部、及び、右板状体の右端部をメインドア５０に軸着することにより、片面開き及び両面開きが可能なように構成することとしてもよい。
【００７５】
更に、補給扉２００は、軸着されるものでなくとも、補給口２０４の内縁周部にレール上の溝を設け、このレール上の溝に沿って、上下左右方向にスライド可能なように構成することとしてもよい。
【００７６】
更にまた、補給扉２００は、板状体でなくとも、変形可能なシャッタ機構等により構成することとしてもよい。
【００７７】
尚、本実施形態においては、メインドア５０に対して軸着等により固定される固定式の補給扉２００を用いたが、本発明はこれに限らず、着脱自在な補給扉を備えた遊技機であってもよい。
【００７８】
また、補給扉２００の正面から見て右端部には、補給扉２００をメインドア５０に固定するために用いられる鍵穴２０１（図１参照）が設けられている。この鍵穴２０１は、所定の鍵体を挿脱自在にするものであり、その所定の鍵を挿入し、回動させることにより、その後方に設けられた補給扉ロック機構２０２を変位させ、解錠若しくは施錠を行うこととなる。
【００７９】
尚、本実施形態においては、補給扉２００に鍵穴２０１を設け、所定の鍵体を用いて補給扉２００を開放状態、閉鎖状態にさせる補給扉ロック機構２０２を備えたものであったが、本発明はこれに限らず、認証カードを挿脱自在とした認証溝等を設けた電子制御のロック機構を備えたものであってもよい。
【００８０】
上述したコイン補給路２０６は、図３に示す如く、角管形状の管状体を有する通路部材であり、傾斜管部と直管部とから構成される。
【００８１】
傾斜管部は、補給口２０４からホッパー５８の上部に設けられた開口部の直上に位置するように設けられた直管部に到達可能な長さと傾斜角度を有するものである。
【００８２】
コイン補給路２０６の傾斜管部の上端に設けられた上端開口部は、補給口２０４から投入されたコインの受け口をなすものであり、メインドア５０に補給口２０４として穿設された角穴の穴形状とほぼ同一の形状及び大きさを有し、補給口２０４に接続されるように設けられている。
【００８３】
コイン補給路２０６の直管部の下端に設けられた下端開口部は、コインの出口をなすものであり、上述したホッパー５８の上方開口部の直上に位置するように設けられる。これにより、このコイン補給路２０６は、補給口２０４から投入されたコインを後述するホッパー５８に導入することができるのである。
【００８４】
尚、本実施形態では、コイン補給路２０６を傾斜管部と直管部とから構成される通路部材であることとしたが、本発明はこれに限らず、補給口２０４から投入されたコインをホッパー５８に導入することができる通路として構成されるものであればよい。
【００８５】
また、本実施形態では、コイン補給路２０６を角管形状の管状体であるとして説明したが、本発明はこれに限らず、円管形状であってもよく、また、管状体でなくとも、断面が凹形状を有する樋状体であってもよく、補給口２０４から投入されたコインをホッパー５８に導入することができれば、その形状は問わない。
【００８６】
［補給扉　開放時］
図４は、メインドア５０に軸着された補給扉２００の拡大図である。
【００８７】
以下、補給口２０４の奥に、メインドアロック機構２１８により施錠された筐体１２とメインドア５０とを解錠可能であり、かつ、打ち止め状態を解除可能な鍵穴２１２を設けるように構成する場合について説明する。
【００８８】
メインドア５０に軸着された補給扉２００は、補給扉２００に固設された補給扉ロック機構２０２によって、予め解錠され、開放されているものとする。
【００８９】
図４に示す如く、補給口２０４の内縁上部には、矩形状の段部２０８が、補給口２０４から後方に押し下げられた位置に位置づけられるように、メインドア５０に固設されている。
【００９０】
この段部２０８には、メインドア５０を筐体１２に対して開放するために用いられ、かつ、打ち止め状態を解除するために用いられる鍵穴２１２が固設されている。この鍵穴２１２は、所定の鍵体を挿脱自在にするものであり、その所定の鍵を挿入し、右方向に回動操作された場合には、その後方に設けられたメインドアロック機構２１８を変位させ、施錠又は解錠を行うこととなる。また、左方向に回動操作された場合には、打ち止め状態の解除が行われる。
【００９１】
打ち止め状態とは、一定量のコインの払い出しが行われた場合や、所定回数の当選回数に達した場合に、それ以上のコインの払い出し、及び、遊技を続行させないように制御が行われた状態を指すものである。
【００９２】
従来、上述した、筺体とメインドアとを解錠可能であり、かつ、打ち止め状態を解除可能な鍵穴は、メインドアに、遊技者又は従業員等が視認可能でかつ接触可能なように設けられており、遊技者により合い鍵が用いられること等により不正に打ち止め状態が解除されたり、メインドアが開放されてしまうおそれもあった。
【００９３】
しかし、上述した如く、補給扉を開放することにより操作可能な位置である補給口の奥に設けるように構成することにより、遊技者により合い鍵が用いられる等による不正を防止し、セキュリティを向上させることができる。
【００９４】
［遊技機の制御装置の構成］
遊技機１０を制御する制御回路と、これに電気的に接続されている周辺装置とを含む回路構成を示すブロック図を図５に示す。
【００９５】
上述したスタートレバー３２は、主制御回路１００のインターフェイス回路群１０２に接続され、インターフェイス回路群１０２は、入出力バス１０４に接続されている。スタートレバー３２から発せられた始動開始信号は、インターフェイス回路群１０２において所望の信号に変換された後、入出力バス１０４に供給される。入出力バス１０４は、中央処理回路（以下、ＣＰＵと称する）１０６にデータ信号又はアドレス信号が入出力されるようになされている。
【００９６】
また、上述したインターフェイス回路群１０２には、停止スイッチ３４Ｌ、３４Ｃ、３４Ｒ、１−ＢＥＴスイッチ２０、２−ＢＥＴスイッチ２２、最大ＢＥＴスイッチ２４及び払出スイッチ３６も接続されている。これらのスイッチやスイッチから発せられる信号もインターフェイス回路群１０２に供給され、所定の信号に変換された後、入出力バス１０４に供給される。
【００９７】
更に、インターフェイス回路群１０２には、コインセンサ５２も接続されている。これらのセンサから発せられる信号もインターフェイス回路群１０２に供給され、所定の信号に変換された後、入出力バス１０４に供給される。
【００９８】
更にまた、インターフェイス回路群１０２には、後述する、打ち止め解除スイッチ２２０も接続されている。この打ち止め解除スイッチ２２０から発せられる信号もインターフェイス回路群１０２に供給され、所定の信号に変換された後、入出力バス１０４に供給される。
【００９９】
上述した入出力バス１０４には、ＲＯＭ（リード・オンリー・メモリ）１０８及びＲＡＭ（ランダム・アクセス・メモリ）１１０も接続されている。ＲＯＭ１０８は、スロットマシンの全体の流れを制御する制御プログラムや、当該制御プログラムを実行するための初期データなどを記憶する。
【０１００】
また、ＲＡＭ１１０は、上述した制御プログラムで使用するフラグや変数の値を一時的に記憶する。
【０１０１】
入出力バス１０４には、乱数を発生するための乱数発生部１１２も設けられている。乱数発生部１１２は、一定の範囲の数値、例えば０〜６５５３５（２の１６乗）に含まれる乱数を発生する。尚、本実施形態においては、乱数は上述の如きＣＰＵ１０６の外部に設けられた乱数発生部１１２において発生させているが、本発明においてはこれに限らず、乱数発生部を設けることなくＣＰＵ１０６の演算処理により発生するように構成してもよい。
【０１０２】
入出力バス１０４には、モータ駆動回路１１４が接続されている。モータ駆動回路１１４には、上述した３つのリール２６Ｌ、２６Ｃ、２６Ｒの各々を回転駆動するステッピングモータ６２Ｌ、６２Ｃ、６２Ｒが接続されている。ステッピングモータ６２Ｌ、６２Ｃ、６２Ｒの各々は、３つのリール２６Ｌ、２６Ｃ、２６Ｒの内部に設けられ、ステッピングモータ６２Ｌ、６２Ｃ、６２Ｒの回転シャフトがリール２６Ｌ、２６Ｃ、２６Ｒの回転中心となるように、リール２６Ｌ、２６Ｃ、２６Ｒは、ステッピングモータ６２Ｌ、６２Ｃ、６２Ｒに設けられている。
【０１０３】
ＣＰＵ１０６から発せられる駆動制御命令は、モータ駆動回路１１４により駆動信号に変換され、駆動信号はステッピングモータ６２Ｌ、６２Ｃ、６２Ｒに供給される。尚、駆動制御命令には、回転速度の命令も含まれており、ステッピングモータ６２Ｌ、６２Ｃ、６２Ｒの回転制御及び停止制御を行うとともに、回転速度の制御も行う。
【０１０４】
ＣＰＵ１０６が、上述した如き、ステッピングモータ６２Ｌ、６２Ｃ、６２Ｒに対する制御をすることにより、リール２６Ｌ、２６Ｃ、２６Ｒの回転制御及び停止制御を行うとともに、回転速度の制御を行うことができるのである。
【０１０５】
リール２６Ｌ、２６Ｃ、２６Ｒの各々には、各リールの回転角度位置を検出するための回転角度位置センサ（図示せず）が設けられており、回転角度位置センサは、リール回転角度位置検出回路１１６に接続されている。リール２６Ｌ、２６Ｃ、２６Ｒの各々の回転角度位置を示す信号が回転角度位置センサから発せられたときには、リール回転角度位置検出回路１１６に供給され、所定の信号に変換された後、入出力バス１０４に供給される。
【０１０６】
ＣＰＵ１０６は、供給された回転角度位置から図柄のコード番号を算出し、表示窓１４Ｌ、１４Ｃ、１４Ｒの各々に表示される図柄を特定することができるのである。
【０１０７】
入出力バス１０４には、有効ライン表示ランプ４４を駆動するためのランプ駆動回路１１８も接続されており、ＣＰＵ１０６は、１−ＢＥＴスイッチ２０、２−ＢＥＴスイッチ２２又は最大ＢＥＴスイッチ２４から発せられる信号に応じて駆動指令をランプ駆動回路１１８に発し、駆動指令に応じて有効ライン表示ランプ４４を点灯駆動するのである。
【０１０８】
また、入出力バス１０４には、表示装置３０を駆動する表示駆動回路１２０も接続されており、ＣＰＵ１０６は、ＲＯＭ１０８に記憶されている画像データや文字データ等を読み出し、そのデータを表示駆動回路１２０に供給する。このように構成することより、表示装置３０には、画像データが演出画面として表示されたり、文字データがメッセージとして表示されたりするのである。
【０１０９】
更に、入出力バス１０４には、スピーカ４１を駆動するためのスピーカ駆動回路１２２も接続されており、ＣＰＵ１０６は、ＲＯＭ１０８に記憶されている音声データを読み出し、そのデータをスピーカ駆動回路１２２に供給する。このようにしたことより、スピーカ４１から所定の音声が発せられるのである。
【０１１０】
更にまた、入出力バス１０４には、ホッパー５８を駆動するためのホッパー駆動回路１２４も接続されており、ＣＰＵ１０６は、払出スイッチ３６が押動されたことを示す信号を受信した場合や、遊技結果によりコインの払出しを必要とすると判断した場合などには、払出枚数を支持するデータをホッパー駆動回路１２４に供給する。これによりホッパー５８の内部に設けられた回転盤６２を回転させ、コインを排出させるのである。
【０１１１】
更にまた、入出力バス１０４には、コイン通過センサ６８も接続されており、ホッパー５８から実際に排出されたコインの枚数を算出したデータをＣＰＵ１０６に供給する。そして、ＣＰＵ１０６は命令したコインの払出枚数と、実際に排出されたコインの枚数を比較し、当該実際に排出されたコインの枚数に不足があった場合には、更にこの枚数分のコインを排出するようホッパー駆動回路１２４にデータを供給するのである。
【０１１２】
更にまた、入出力バス１０４には、フラッシュメモリ１２８も接続されており、ビッグ・ボーナスやレギュラー・ボーナス等の特別遊技への移行する権利が獲得されたことを示すフラグの数や、遊技機１０における遊技履歴などの情報を記憶する。
【０１１３】
更に、入出力バス１０４には、通信用インターフェイス回路１３０も接続されており、遊技機１０における遊技状況、遊技履歴、等の様々な情報を管理サーバなどの外部端末に対して伝送することが可能となるのである。
【０１１４】
［補給扉の動作］
本発明における遊技機１０にコインを補給する際の動作の流れを説明する。また、メインドア５０は、筐体１２に対して閉じた状態にあるとともに、メインドア５０に穿設された補給口２０４は、補給扉２００によって閉じた状態にあり、補給扉２００は、補給扉２００に固設された補給扉ロック機構２０２によって予め施錠された状態にあるものとする。
【０１１５】
コインの補給作業を行う遊技場の従業員が、補給扉２００の右端部に固設された鍵穴２０１に所定の鍵体を挿入し、回動させることにより、その後方に設けられた補給扉ロック機構２０２を変位させ、解錠が行われる。
【０１１６】
解錠が行われることにより、補給扉２００は、上述した如く、ヒンジ機構（図示せず）によりメインドア５０と軸着された左端部を中心として開閉自在となる。
【０１１７】
従業員が、開閉自在となった補給扉２００を開放すると、補給口２０４が外部に露呈され、視認可能な状態となる。この補給扉２００を開放した状態で、補給するコインを補給口２０４から投入することができる。
【０１１８】
補給口２０４から投入されたコインは、補給口２０４に接続されたコイン補給路２０６の上端開口部からコイン補給路２０６に導入され、傾斜形状部から直形状部に沿うように方向を変えて落下し、下端開口部からその直下に設けられたホッパー５８に収容される。
【０１１９】
これにより、遊技場の従業員が遊技機にコインを補給する際に、遊技機のメインドアを開閉する必要がなく、メインドアに設けられたコイン補給用の小型扉を開閉することにより、遊技機にコインを補給することが可能となる。
【０１２０】
また、補給作業を行う従業員にとっては、重量のあるメインドアを開けるという作業負担が軽くなり、補給作業を効率的に行うことが期待できる。
【０１２１】
更に、遊技者にとっては、従来、コインの補給作業はメインドアを開閉して行っていたことから補給作業中は席を立たなければならなかったが、コイン補給の際であっても、席を立つ必要がなくなり、補給作業後すぐに遊技を続行することが期待できる。
【０１２２】
更にまた、一般に、筐体内部には、リール、電飾、制御装置、それに伴う配線等が設けられており、メインドアを開閉することによって基板や配線等の遊技機の制御部を遊技者に見られることがないため、基板や配線等に手が加えられてしまうという不正が行われることを防止し、遊技機のセキュリティの向上を図ることができる。
【０１２３】
更にまた、メインドアを開閉することによってメインドアの裏側に設けられた配線を挟み込んでしまうというおそれを防止でき、配線の断線等による遊技機の故障が起きるおそれも防止することができる。
【０１２４】
更にまた、コインが投入される補給口の位置はコイン貯留装置よりも上方に位置づけられるように設けられることとなるため、補給口から投入されたコインを、移送ベルト等の動力を必要とする特別な装置等を用いることなく、自然な落下によりコイン貯留装置に補給することができる。
【０１２５】
更にまた、コインは補給口からコイン貯留装置をつなぐコイン通路を伝わり、コイン貯留装置に補給されるため、補給口から貯留装置に直接コインを落下させることによりコインを補給する場合に比べて、コインの損傷を比較的抑えることが期待できるとともに、コインをコイン貯留装置の外へ漏らすことなく確実に、コイン貯留装置に補給することができる。
【０１２６】
尚、本実施形態における遊技機１０では、補給口２０４からホッパー５８の間に、コイン補給路２０６を設け、補給口２０４から投入されたコインをホッパー５８へと導入するように構成したが、本発明はこれに限らず、コイン補給路２０６を設けることなく、補給口２０４の直下にホッパー５８を配置し、補給口２０４から投入されたコインがそのままホッパー５８に落下することにより、補給が行われることとしてもよい。
【０１２７】
また、同様に、コイン補給路２０６を設けるような構成とせず、補給作業を行う際に、ホッパー５８に到達可能な長さを有し、コイン補給路２０６に代替可能な補給補助器具等を補給口２０４からホッパー５８方向に挿入することにより、コインの補給が行われることとしてもよい。
【０１２８】
尚、本実施形態では、メインドア５０に設けられた補給扉２００及び補給口２０４は、遊技機１０の外部から筐体１２内に設けられたホッパー５８にコインを補給する場合についてのみ説明したが、本発明はこれに限らず、ホッパー５８に収容されているコインが一杯となった場合に、コイン収容数を減少させるべく、コインをホッパー５８から遊技機１０の外部へ取り出す場合にも適用することとしてもよい。
【０１２９】
［メインドアの開放動作］
上述した如く、補給扉２００が開放された状態で、補給口２０４から後方に押し下げられた位置に位置づけられるように、メインドア５０に固設された矩形状の段部２０８には、鍵穴２１２が固設されている。
【０１３０】
この鍵穴２１２に、所定の鍵体が挿入され、右方向に回動操作された場合には、その後方に設けられたメインドアロック機構２１８を変位させる。即ち、メインドア５０に設けられたロック片２１６が下方へ回動して被ロック部２１４からはずれ、これにより、メインドア５０が開放可能な状態となる。
【０１３１】
尚、鍵穴２１２とロック片２１６との間には、図示しない、押圧板、動力伝達板、引張コイルバネ等の弾性体等といった各種装置が介在して鍵穴２１２からロック片２１６に至る動作伝達経路を形成している。
【０１３２】
尚、本実施形態においては、固定式のメインドア５０を用いた遊技機１０であったが、本発明はこれに限らず、筐体１２に対して着脱自在な扉を備えた遊技機であってもよい。
【０１３３】
尚、本実施形態においては、所定の鍵体を用いてメインドア５０を開放状態、閉鎖状態にさせるメインドアロック機構２１８を備えたものであったが、本発明はこれに限らず、認証カードを挿脱自在とした認証溝等を設けた電子制御のロック機構を備えたものであってもよい。
【０１３４】
従来、上述した、筺体とメインドアとを解錠可能な鍵穴は、メインドアに、遊技者又は従業員等が視認可能でかつ接触可能なように設けられており、遊技者により合い鍵が用いられること等により不正にメインドアが開放されてしまうおそれもあった。
【０１３５】
しかし、上述した如く、メインドアを解錠可能な鍵穴２１２を、補給扉２００を開放することにより操作可能な位置である補給口２０４の奥に設けるように構成することにより、遊技者により合い鍵等が用いられ、メインドア５０が開放され、筐体１２内の制御部に不正が行われるおそれを防止し、遊技機のセキュリティを向上させることができる。
【０１３６】
［打ち止め解除動作］
上述した如く、補給扉２００が開放された状態で、補給口２０４から後方に押し下げられた位置に位置づけられるように、メインドア５０に固設された矩形状の段部２０８には、鍵穴２１２が固設されている。
【０１３７】
この鍵穴２１２に、所定の鍵体が挿入され、左方向に回動操作された場合には、その後方に設けられた打ち止め解除スイッチ２２０（図５参照）により、回動操作が行われたことが検知されることとなる。
【０１３８】
上述した図５に示す如く、回動操作が行われたことを検知した打ち止め解除スイッチ２２０により発せられた打ち止め解除信号は、インターフェイス回路群１０２に供給され、所定の信号に変換された後、入出力バス１０４に供給される。
【０１３９】
ＣＰＵ１０６は、入出力バス１０４を介して、打ち止め解除スイッチ２２０により供給された打ち止め解除信号を受け取ったと判別した場合には、打ち止め状態を解除する制御を行うべく、電力及び各種信号を供給しないように制御を行っていた、モータ駆動回路１１４、ホッパー駆動回路１２４等の各種回路に電力及び各種信号の供給を再開することとなる。
【０１４０】
従来、上述した、筺体とメインドアとを解錠可能であり、かつ、打ち止め状態を解除可能な鍵穴は、メインドアに、遊技者又は従業員等が視認可能でかつ接触可能なように設けられており、遊技者により合い鍵等が用いられることにより不正に打ち止め状態が解除されてしまうおそれもあった。
【０１４１】
しかし、上述した如く、打ち止め状態を解除可能な鍵穴２１２を、補給扉２００を開放することにより操作可能な位置である補給口２０４の奥に設けるように構成することにより、遊技者により合い鍵等が用いられ、不正に打ち止め状態が解除されることにより、本来払い出されることのない大量のコインを払い出してしまうおそれを防止し、遊技機のセキュリティを向上させることができる。
【０１４２】
本明細書に記載された効果は、本発明から生じる最も好適な効果を列挙したに過ぎず、本発明による効果は、本明細書に記載されたものに限定されるものではない。
【０１４３】
【発明の効果】
本発明によれば、「遊技の結果に応じて、遊技媒体を払い出す遊技機」を「開口部を有した筺体と、当該開口部を開閉可能なように当該筺体に装着された開口部開閉体と、を備え、前記筺体は、その内部に遊技媒体を貯留する遊技媒体貯留装置を有し、前記開口部開閉体は、遊技媒体が通過可能な孔部と、当該孔部を開閉可能なように前記開口部開閉体に装着された孔部開閉体と、」を有するように構成したので、遊技場の従業員等が遊技機にコインを補給する際に、遊技機のメインドアを開閉する必要がなく、メインドアに設けられたコイン補給用の小型扉を開閉することにより、遊技機にコインを補給することが可能となる。
【０１４４】
その結果、コインの補給作業を行う従業員等にとっては、重量のあるメインドアを開けるという負担が軽くなり、補給作業を効率的に行うことが期待できる。
【０１４５】
更に、遊技者にとっては、従来、コインの補給作業はメインドアを開閉して行っていたことから補給作業中は席を立たなければならなかったが、コイン補給の際であっても、席を立つ必要がなくなり、補給作業後すぐに遊技を続行することが期待できる。
【０１４６】
更にまた、一般に、筐体内部には、リール、電飾、制御装置、それに伴う配線等が設けられているが、コインの補給時に、メインドアを開閉することによって、これらが完全に露出してしまうことがないため、基板や配線等に手が加えられてしまうという不正が行われることを防止し、遊技機のセキュリティの向上を図ることができる。
【０１４７】
更にまた、メインドアを開閉することによってメインドアの裏側に設けられた配線を挟み込んでしまうというおそれを防止でき、配線の断線等による遊技機の故障が起きるおそれも防止することができる。
【０１４８】
上述した発明を、「前記孔部は前記遊技媒体貯留装置より上方に位置する」ように構成することにより、上述した効果に加えて、コインが投入される補給口の位置はコイン貯留装置よりも上方に位置づけられるように設けられることとなるため、補給口から投入されたコインを、移送ベルト等の動力を必要とする特別な装置等を用いることなく、自然な落下によりコイン貯留装置に補給することができる。
【０１４９】
上述した発明を、「前記遊技媒体貯留装置と前記孔部との間に、遊技媒体が通行可能な遊技媒体通路が設けられた」ように構成することにより、上述した効果に加えて、コインは補給口からコイン貯留装置をつなぐコイン通路を伝わり、コイン貯留装置に補給されるため、補給口からコイン貯留装置に直接コインを落下させることによりコインを補給する場合に比べて、コインの損傷を比較的抑えることが期待できるとともに、コインをコイン貯留装置の外へ漏らすことなく確実に、コイン貯留装置に補給することができる。
【図面の簡単な説明】
【図１】本発明の一実施形態である遊技機１０の概観を示す斜視図である。
【図２】本発明の一実施形態である遊技機１０のメインドア５０を左側に開放した状態示す図である。
【図３】本発明の一実施形態である補給扉２００の概略を示す図である。
【図４】本発明の一実施形態であるメインドア５０に軸着された補給扉２００の拡大図である。
【図５】本発明の一実施形態である遊技機１０を制御する制御回路と、これに電気的に接続されている周辺装置とを含む回路構成を示すブロック図である。
【符号の説明】
１０　遊技機
１２　筐体
３１　コイン投入口
３８　コイン払出口
４０　コイン受皿
５０　メインドア
５８　ホッパー
２００　補給扉
２０１　鍵穴
２０２　補給扉ロック機構
２０４　補給口
２０６　コイン補給路
２０８　段部
２１２　鍵穴
２１４　被ロック部
２１６　ロック片
２１８　メインドアロック機構
２２０　打ち止め解除スイッチ
【図１】
2004129746.tif 000003
【図２】
2004129746.tif 000004
【図３】
2004129746.tif 000005
【図４】
2004129746.tif 000006
【図５】
2004129746.tif 000007